【手続補正書】
【提出日】平成24年9月25日(2012.9.25)
【手続補正１】
【補正対象書類名】明細書
【補正対象項目名】００３５
【補正方法】変更
【補正の内容】
【００３５】
音声入力部１９は、例えば、マイクロフォンなどであり、音声入力を受け付けると共に、受け付けた音声を音声信号として出力する。表示部２１は、LCDや有機ELなどから構成されており、CPU１１により制御され、画像信号入力部１６、撮像部１７、および記憶部２２より供給される画像信号に基づいて画像を表示する。
【手続補正２】
【補正対象書類名】明細書
【補正対象項目名】００９１
【補正方法】変更
【補正の内容】
【００９１】
編集トレイ表示欄５１２には、編集ツールに応じてトレイが切り替えて表示される。編集ツールの種類としては、アニメーション編集、スタンプ編集、水彩ペン編集、消しゴム編集、ペン編集、およびフレーム編集（フレーム切替）などがある。図８の最上段においては、編集トレイ表示欄５１２には、水彩ペン編集に対応したトレイが表示されている。
【手続補正３】
【補正対象書類名】明細書
【補正対象項目名】００９８
【補正方法】変更
【補正の内容】
【００９８】
尚、ステップＳ６１において、アニメーション編集が選択されなかった場合、またはステップＳ６３において、いずれのアニメーションも選択されない場合、処理は、ステップＳ６５に進む。
【手続補正４】
【補正対象書類名】明細書
【補正対象項目名】０１０２
【補正方法】変更
【補正の内容】
【０１０２】
尚、ステップＳ６５において、スタンプ編集が選択されなかった場合、またはステップＳ６７において、いずれのスタンプ画像も選択されない場合、処理は、ステップＳ６９に進む。
【手続補正５】
【補正対象書類名】明細書
【補正対象項目名】０１０６
【補正方法】変更
【補正の内容】
【０１０６】
尚、ステップＳ６９において、水彩ペン編集が選択されなかった場合、またはステップＳ７１において、水彩ペンでの編集がなされない場合、処理は、ステップＳ７３に進む。
【手続補正６】
【補正対象書類名】明細書
【補正対象項目名】０１１３
【補正方法】変更
【補正の内容】
【０１１３】
ステップＳ７９において、メッセージ編集処理部１２２は、操作内容認識部１１３により図示せぬポインタによりいずれかのペンが選択され、編集がなされたか否か（画像が描かれたか否か）を判定する。ステップＳ７９において、いずれかのペンが選択されて、ポインタの移動が開始された場合、ステップＳ８０において、メッセージ編集処理部１２２は、選択された色のペンでポインタの移動に伴って撮像画像表示欄５１１に画像を描く。
【手続補正７】
【補正対象書類名】明細書
【補正対象項目名】０１１４
【補正方法】変更
【補正の内容】
【０１１４】
尚、ステップＳ７７において、ペン編集が選択されなかった場合、またはステップＳ７９において、ペンでの編集がなされない場合、処理は、ステップＳ８１に進む。
【手続補正８】
【補正対象書類名】明細書
【補正対象項目名】０１１７
【補正方法】変更
【補正の内容】
【０１１７】
ステップＳ８３において、メッセージ編集処理部１２２は、操作内容認識部１１３により図示せぬポインタによりいずれかのフレーム画像が選択されたか否かを判定する。ステップＳ８３において、いずれかのフレーム画像が選択された場合、ステップＳ８４において、メッセージ編集処理部１２２は、選択されたフレーム画像を撮像画像表示欄５１１に表示させる。
【手続補正９】
【補正対象書類名】明細書
【補正対象項目名】０１１８
【補正方法】変更
【補正の内容】
【０１１８】
尚、ステップＳ８１において、フレーム編集が選択されなかった場合、またはステップＳ８３において、いずれのフレーム画像も選択されない場合、編集処理は、終了する。
【手続補正１０】
【補正対象書類名】明細書
【補正対象項目名】０１２９
【補正方法】変更
【補正の内容】
【０１２９】
また、ステップＳ４５において、キャプチャが指示されなかった場合、ステップＳ４７において、動画メッセージ生成部１２４は、操作内容認識部１１３により図示せぬポインタにより録画が指示されたか否かを判定する。ステップＳ４７において、例えば、図１１のウィンドウ５０１−１１の状態から、図１１の２段目のウィンドウ５０１−１２で示されるようにボタン５２２がポインタ５３１により押下された場合、録画が指示されたものとみなし、処理は、ステップＳ４８に進む。尚、図１１のウィンドウ５０１−１１は、図８のウィンドウ５０１−１と同一の状態である。
【手続補正１１】
【補正対象書類名】明細書
【補正対象項目名】０１３３
【補正方法】変更
【補正の内容】
【０１３３】
ステップＳ５１において、動画メッセージ生成部１２４は、操作内容認識部１１３により図示せぬポインタにより録画の終了が指示されたか否かを判定し、終了が指示されていない場合、処理は、ステップＳ４８に戻る。すなわち、録画の終了が指示されるまで、ステップＳ４８乃至Ｓ５１の処理が繰り返される。そして、ステップＳ５１において、例えば、図１１の最下段のウィンドウ５０１−１４で示されるようにボタン５２２がポインタ５３１により押下された場合、録画の終了が指示されたものとみなし、処理は、ステップＳ５２に進む。
【手続補正１２】
【補正対象書類名】明細書
【補正対象項目名】０１８９
【補正方法】変更
【補正の内容】
【０１８９】
ステップＳ１５５において、メール送信処理部１９４は、タッチパネル１０２の表示部２１を制御して、例えば、図１６のメッセージボード３０１−６６で示されるように、電子メールの送信確認ウィンドウ７９１を表示する。図１６の送信確認ウィンドウ７９１には、「Ｅメールを送信しました。」と表記されており、電子メールの送信が完了したことを示している。送信確認ウィンドウ７９１には、確認したことを示すとき操作される「ＯＫ」と表記されたボタン７９２が設けられている。
【手続補正１３】
【補正対象書類名】明細書
【補正対象項目名】０２０４
【補正方法】変更
【補正の内容】
【０２０４】
ステップＳ１６３において、メール送信処理部１９４は、操作内容認識部１１３により「ＯＫ」と表示されているボタン７８２が押下されて、メールの送信が指示されたか否かを判定する。ステップＳ１６３において、例えば、ボタン７８２が押下されて、メールの送信が指示された場合、処理は、ステップＳ１５４に進む。すなわち、現状のメール設定情報２０３に登録された内容で、選択された画像メッセージが添付された電子メールが送信される。
【手続補正１４】
【補正対象書類名】明細書
【補正対象項目名】０２２４
【補正方法】変更
【補正の内容】
【０２２４】
ステップＳ１８２において、ゴミ箱管理部１３２は、読み出した画像メッセージ３２１を一覧として、例えば、図１９のメッセージボード３０１−８３で示されるように、ゴミ箱ウィンドウ８０１を表示する。ゴミ箱ウィンドウ８０１には、ゴミ箱データ２０４に登録されている画像メッセージ３２１−３が表示されている。また、ゴミ箱ウィンドウ８０１には、ゴミ箱ウィンドウ８０１内の全ての画像メッセージ３２１を選択するとき操作されるボタン８１１が設けられている。また、選択された画像メッセージ３２１を、元のメッセージボード３０１上に復元したいとき操作されるボタン８１２、および、選択された画像メッセージ３２１を、完全に削除したいとき操作されるボタン８１３が設けられている。ボタン８１２，８１３には、それぞれ「復元」、および「削除」と表記されている。また、ゴミ箱ウィンドウ８０１の右上には終了したいときに操作されるボタン８１４が設けられている。
【手続補正１５】
【補正対象書類名】明細書
【補正対象項目名】０２２７
【補正方法】変更
【補正の内容】
【０２２７】
ステップＳ１８６において、ゴミ箱管理部１３２は、選択されていた画像メッセージ３２１のデータをゴミ箱データ２０４より削除して更新させると共に、図１９のメッセージボード３０１−８５で示されるように、ゴミ箱ウィンドウ８０１の表示を消去する。この処理により、削除が選択された画像メッセージ３２１に対応する静止画、または動画の情報が記憶部２２より削除され、復元できない状態となる。すなわち、この場合、画像メッセージ３２１−３は、復元できない状態に完全に削除されることになる。
【手続補正１６】
【補正対象書類名】図面
【補正対象項目名】図２
【補正方法】変更
【補正の内容】
【図２】
2011081455.tif 000001